(57)【要約】【課題】簡単な構造で、ＤＣ出力のコードの屈曲ストレスを低減できるＡＣアダプタを提供する。【解決手段】アダプタケース５の引出孔６の軸心と直交する軸心を持つ貫通孔８を有する側面カバー７およびストレートブッシング１０を用いて、このストレートブッシング１０を、従来のようにアダプタケース５の引出孔６ではなく、側面カバー７の貫通孔８で保持するようにしているから、アダプタケース５の引出孔６からその軸心方向に引き出されてストレートブッシング１０に至るまでにＬ字状に曲げられたコードＣは、固定された状態となって繰り返し屈曲ストレスがかからない。また、このストレートブッシング１０はアダプタケース５の側面５ａに沿って延びるから、コードＣをアダプタケース５に巻き付けるときにストレートブッシング１０の末端部でのコードＣの曲がりが少なくなって、この部分でのコードＣのストレスを小さくできる。【選択図】        図１
2004303524.tif 000002
【特許請求の範囲】
【請求項１】
ＡＣ入力部、変換部およびＤＣ出力部がアダプタケース内に収納され、ＤＣ出力部のコードが引き出される引出孔がアダプタケース側面に設けられたＡＣアダプタであって、
前記アダプタケース側面に側面カバーが設けられ、この側面カバーは前記引出孔の軸心と直交する軸心を持つ貫通孔を有し、前記引出孔およびアダプタケース側面から引き出されるコードを覆うとともに、前記貫通孔でコードのストレートブッシングを保持するものであるＡＣアダプタ。
【請求項２】
請求項１において、
前記アダプタケースおよび側面カバーが、２つのアダプタケース半体および側面カバー半体からなるＡＣアダプタ。
【請求項３】
請求項２において、
前記各アダプタケース半体および側面カバー半体が、それぞれ一体形成されてなるＡＣアダプタ。
【発明の詳細な説明】
【０００１】
【発明の属する技術分野】
本発明は、ＡＣアダプタに関し、そのアダプタケースから引き出されるコードの屈曲ストレス低減に関する。
【０００２】
【従来の技術】
一般に、ＡＣ電源とＤＣ電源を使用する機器との間に接続されて、ＡＣ入力を所定のＤＣ出力に変換するＡＣアダプタは、ＡＣ入力部、変換部およびＤＣ出力部がアダプタケース内に収納されてなる。従来のＡＣアダプタは、アダプタケースの側面にＤＣ出力部のコードが外部に引き出される引出孔が設けられ、この引出孔でコードのブッシングが保持される。このブッシングは、例えば可撓性の材質で蛇腹構造を有してコードの破損などに対する保護やケースに対する絶縁を行うものであり、先端部が前記ケースの引出孔に直接保持される直線形状のストレートブッシング（例えば、特許文献１）やＬ字形状のＬ字ブッシングが知られている。
【０００３】
ＡＣアダプタは使用時にＡＣ電源と使用機器の間が離れている場合にも対応できるように、ＤＣ出力のコードに十分な長さのコードを用いており、収納時や持ち運び時にはこの長いコードをアダプタケースに巻き付けて取り扱う場合が多い。この場合、アダプタケースの側面に対して垂直に取り付けられたストレートブッシングでは、アダプタケースへの巻き始め部分でブッシング内のコードが急激に屈曲することとなり、屈曲ストレスが大きい。このため、ＡＣアダプタにおいては、収納時などのストレスを考慮してストレートブッシングではなく、アダプタケースの側面に沿ってコードが引き出されるＬ字形状のＬ字ブッシングが用いられる場合が多い。
【０００４】
図３に従来のＬ字ブッシング２０を用いたＡＣアダプタの一例を示す。アダプタケース２５の側面２５ａに、図示しないＤＣ出力部からのコードＣが引き出される引出孔２６が設けられ、この引出孔２６にＬ字ブッシング２０の保持部２８が直接保持されてＬ字ブッシング２０がアダプタケース２５に装着される。この例では、アダプタケース２５の側面２５ａに、Ｌ字ブッシング２０の装着部分における上下両側に保護カバー２７、２７が設けられている。この保護カバー２７、２７により、Ｌ字ブッシング２０が衝突や落下などから保護されるとともに、引出孔２６の軸回りの回転が阻止されてその回転によるコードＣのストレスをなくしている。
【０００５】
【特許文献１】
特開平１１−２５１０１８号公報
【０００６】
【発明が解決しようとする課題】
しかし、図３のＬ字ブッシングを用いた場合でも、そのＬ字部分におけるコードがＬ字形状に屈曲しており、ＡＣアダプタの使用時にコードＣを延ばし、また収納時などにコードＣをアダプタケース２５に巻き付けることにより、この屈曲部には引出孔２６の軸心方向（水平方向）に繰り返し屈曲ストレスがかかって、コードＣやＬ字ブッシング２０に損傷を与えることとなり、ブッシングの耐久性が向上しないという問題が生じる。
【０００７】
本発明は前記の問題点を解決して、簡単な構造で、ＤＣ出力のコードの屈曲ストレスを低減できるＡＣアダプタを提供することを目的としている。
【０００８】
【課題を解決するための手段】
前記目的を達成するために、本発明にかかるＡＣアダプタは、ＡＣ入力部、変換部およびＤＣ出力部がアダプタケース内に収納され、ＤＣ出力部のコードが引き出される引出孔がアダプタケース側面に設けられたＡＣアダプタであって、前記アダプタケース側面に側面カバーが設けられ、この側面カバーは前記引出孔の軸心と直交する軸心を持つ貫通孔を有し、前記引出孔およびアダプタケース側面から引き出されるコードを覆うとともに、前記貫通孔でコードのストレートブッシングを保持するものである。
【０００９】
この構成によれば、アダプタケースの引出孔の軸心と直交する軸心を持つ貫通孔を有する側面カバーおよびストレートブッシングを用いて、このストレートブッシングを、従来のようにアダプタケースの引出孔ではなく、側面カバーの貫通孔で保持するようにしている。したがって、ストレートブッシングが側面カバーの貫通孔で保持されているから、アダプタケースの引出孔からその軸心方向に引き出されてブッシングに至るまでにＬ字状に曲げられたコードは、固定された状態となって繰り返し屈曲ストレスがかからない。また、このストレートブッシングはアダプタケースの側面に沿って延びるから、コードをアダプタケースに巻き付けるときにストレートブッシングの末端部でのコードの曲がりが少なくなって、この部分でのコードのストレスを小さくできる。これにより、簡単な構造で、コードの収納時などのストレスを考慮したコードのＬ字状の屈曲部分を有しながらその屈曲ストレスを低減できる。また、従来のストレートブッシングをそのまま用いることができるので、コストを低減できる。
【００１０】
好ましくは、前記アダプタケースおよび側面カバーが、２つのアダプタケース半体および側面カバー半体からなる。また、各アダプタケース半体および側面カバー半体が、それぞれ一体形成されてなる。したがって、アダプタケースおよび側面カバーの組み立てが容易になる。
【００１１】
【発明の実施の形態】
以下、本発明の実施形態を図面に基づいて説明する。
図１は、本発明の一実施形態に係るＡＣアダプタの斜視図を示す。図２は、その分解斜視図を示す。図１に示すように、このＡＣアダプタ１は、ＡＣ入力を所定のＤＣ出力に変換するもので、ＡＣ入力部２、変換部３およびＤＣ出力部４が例えば扁平な略直方体の形状を有するアダプタケース５内に収納されてなる。ＤＣ出力部４のコードＣが引き出される引出孔６が例えば短辺側のケース側面５ａに設けられている。
【００１２】
このＡＣアダプタ１は、前記アダプタケース側面５ａに設けられた例えば丸みを帯びた略立方体の形状を有する側面カバー７を備えている。側面カバー７を丸みを帯びた形状にしているのは、衝突や落下などに際してできるだけカバーへの衝撃を小さくしてその破損等を防止するためである。この側面カバー７は、前記引出孔６およびアダプタケース側面５ａから引き出されるコードＣを覆うもので、前記引出孔６の軸心と直交する軸心を持つ貫通孔８を有している。この貫通孔８は例えば四角孔形状をもち、後述するコードＣのストレートブッシング１０を保持する。
【００１３】
図２に示すように、アダプタケース５は２つのアダプタケース半体５１、５２からなり、側面カバー７も２つの側面カバー半体７１、７２からなる。これらのアダプタケース半体５１および側面カバー半体７１、アダプタケース半体５２および側面カバー半体７２は、それぞれ一体に形成されている。
【００１４】
このＡＣアダプタ１は、アダプタケース５から外部へ引き出されるコードＣを破損などから保護するブッシングとして、直線形状のストレートブッシング１０を用いている。このストレートブッシング１０は、従来から周知のものが用いられ、例えば、先端部における保持部１０ａおよび保持部１０ａの前後両側に設けられたつば部１０ｂと、後部における可撓性の材質で蛇腹構造を有する保護筒部１０ｃとを備えている。ストレートブッシング１０の末端部から延びるコードＣの最端部には図示しない使用機器の電源入力部に差し込まれるＤＣ端子４１（図１）が取り付けられている。保持部１０ａは例えば四角柱形状を有しており、前記側面カバー７の四角孔形状の貫通孔８と嵌合して、ストレートブッシング１０の軸回りの回転が阻止され、つば部１０ｂで保持部１０ａが前後移動しないように固定された状態で、ストレートブッシング１０が側面カバー７に保持される。
【００１５】
側面カバー７内では、アダプタケース５のＤＣ出力部４からのコードＣが、引出孔６からその軸心方向に引き出されて、この引出孔６の軸心と直交する軸心を持つ貫通孔８に保持されてアダプタケース５の側面に沿って延びるストレートブッシング１０の先端部に至るまでに、Ｌ字状に曲げられた屈曲部分Ｃ１を有して収納される。
【００１６】
本発明において、アダプタケース５の引出孔６の軸心と直交する軸心を持つ貫通孔８を有する側面カバー７およびストレートブッシング１０を用いて、側面カバー７内にアダプタケース５の引出孔６からストレートブッシング１０の先端部までのコードＣにおけるＬ字状の屈曲部分Ｃ１を収納し、ストレートブッシング１０を、従来のようにアダプタケース５の引出孔６ではなく、側面カバー７の貫通孔８で保持するようにしている。
【００１７】
このため、ストレートブッシング１０が側面カバー７の貫通孔８で保持されているので、コードＣのＬ字状に曲げられた屈曲部分Ｃ１は側面カバー７内で固定された状態となり、ＡＣアダプタ１の使用時および収納時などにおける繰り返しストレスをストレートブッシング１０で受けることから、この屈曲部分Ｃ１には繰り返し屈曲ストレスが全くかからない。また、このストレートブッシング１０はアダプタケース５の側面に沿って延びるから、コードＣをアダプタケース５に巻き付けるときにストレートブッシング１０の末端部でのコードＣの曲がりが少なくなって、この部分でのコードＣのストレスを小さくできる。これにより、アダプタケース５の引出孔６の軸心と直交する軸心を持つ貫通孔８を有する側面カバー７および従来のストレートブッシング１０を用いた簡単な構造で、コードＣの収納時などのストレスを考慮してコードＣのＬ字状の屈曲部分Ｃ１を有しながらその屈曲ストレスを低減でき、ブッシングの耐久性を向上することができる。また、ストレートブッシング１０は、市販品をそのまま用いるもので、コスト低減が可能となる。
【００１８】
このＡＣアダプタ１の組み立てに際しては、アダプタケース半体５１、５２内にＡＣ入力部２、変換部３およびＤＣ出力部４を収納し、側面カバー半体７１、７２内にＤＣ出力部４から引出孔６を介してＬ字状のコードＣを収納して、側面カバー７の貫通孔８にストレートブッシング１０の保持部１０ａを保持した状態で、アダプタケース半体５１および側面カバー半体７１と、アダプタケース半体５２および側面カバー半体７２とを図示しないボルトとナット等で固定して組み立てる。これらのアダプタケース半体５１および側面カバー半体７１、アダプタケース半体５２および側面カバー半体７２は、それぞれ一体に形成されているので、ＡＣアダプタ１の組み立てが容易になる。
【００１９】
なお、この実施形態では、アダプタケース半体５１および側面カバー半体７１、アダプタケース半体５２および側面カバー半体７２が、それぞれ一体に形成されてなるが、別体に形成されていてもよい。
【００２０】
なお、この実施形態では、ストレートブッシング１０をＤＣ出力のコードＣの破損等を防止するために使用しているが、アダプタケース５に対する絶縁用に使用してもよい。
【００２１】
【発明の効果】
以上のように、本発明によれば、簡単な構造で、コードの収納時などのストレスを考慮してコードのＬ字状の屈曲部分を有しながらその屈曲ストレスを低減できる。また、従来のストレートブッシングをそのまま用いることができるので、コストを低減できる。
【図面の簡単な説明】
【図１】本発明の一実施形態に係るＡＣアダプタを示す断面図である。
【図２】図１のＡＣアダプタを示す分解斜視図である。
【図３】従来のＡＣアダプタを示す分解斜視図である。
【符号の説明】
１…ＡＣアダプタ、２…ＡＣ入力部、３…変換部、４…ＤＣ出力部、５…アダプタケース、６…引出孔、７…側面カバー、８…貫通孔、１０…ストレートブッシング、Ｃ…コード。
【図１】
2004303524.tif 000003
【図２】
2004303524.tif 000004
【図３】
2004303524.tif 000005